(57)【要約】【課題】除湿側と加湿側に交互に切り換えられる２つの空気通路（61，62）のそれぞれに吸着熱交換器（51，52）部材を備え、空気通路（61，62）の送風量をファン（25，26）の回転数で制御する調湿装置（10）において、除湿側の空気通路と加湿側の空気通路を切り換えるときに風量が安定しなくなるのを防止する。【解決手段】吸着熱交換器（51，52）で調湿した空気を室内へ供給する通常の調湿運転時に空気通路（61，62）の送風量に基づいて送風機（25，26）の回転数を制御するフィードバック制御を行う一方、第１空気通路（61）と第２空気通路（62）を室内への空気供給経路に切り換える時にはフィードバック制御を停止する風量制御部（66）をコントローラ（65）に設ける。【選択図】図２
2009109117.tif 000002
【特許請求の範囲】
【請求項１】
吸着剤が担持された第１吸着部材（51）と、吸着剤が担持された第２吸着部材（52）と、該第１吸着部材（51）が配置される第１空気通路（61）と第２吸着部材（52）が配置される第２空気通路（62）とを備えたケーシング（11）と、該ケーシング（11）内に設けられて各吸着部材（51，52）を加熱または冷却する温度調節機構（50）と、第１吸着部材（51）を加熱して第２吸着部材（52）を冷却する第１動作と第１吸着部材（51）を冷却して第２吸着部材（52）を加熱する第２動作を切り換える温度調節切換手段（54）と、上記第１空気通路（61）と第２空気通路（62）を交互に室内への空気供給経路に切り換える空気流通経路切換手段（41〜48）と、各空気通路（61，62）に設けられた回転制御可能な送風機（25，26）と、を備えた調湿装置であって、
上記温度調節機構（50）と温度調節切換手段（54）と空気流通経路切換手段（41〜48）と送風機（25，26）とを制御する制御手段（65）を備え、
上記制御手段（65）は、上記吸着部材（51，52）で調湿した空気を室内へ供給する通常調湿運転時に上記空気通路（61，62）の送風量に基づいて上記送風機（25，26）の回転数を制御するフィードバック制御を行う一方、上記第１空気通路（61）と第２空気通路（62）を室内への空気供給経路に切り換える時には上記フィードバック制御を停止する風量制御部（66）を備えていることを特徴とする調湿装置。
【請求項２】
請求項１において、
上記空気流通経路切換手段（41〜48）は、上記空気通路（61，62）に設けられた開閉可能なダンパにより構成されていることを特徴とする調湿装置。
【請求項３】
請求項１または２において、
表面に吸着剤が担持された第１吸着熱交換器（51）及び第２吸着熱交換器（52）を有する冷媒回路（50）を有し、該冷媒回路（50）は冷媒の循環方向を可逆に切り換えることが可能な切換機構（54）を備え、
上記第１吸着部材（51）が第１吸着熱交換器（51）により構成されるとともに上記第２吸着部材（52）が第２吸着熱交換器（52）により構成され、
上記温度調節機構（50）が上記冷媒回路（50）により構成され、
上記温度調節切換手段（54）が上記冷媒回路（50）の切換機構（54）により構成されていることを特徴とする調湿装置。
【発明の詳細な説明】
【技術分野】
【０００１】
本発明は、吸着剤が担持された吸着部材で空気の湿度調節を行う調湿装置に関し、特に、除湿側と加湿側に交互に切り換えられる２つの空気通路のそれぞれに吸着部材が配置され、各空気通路を除湿側と加湿側に交互に切り換えながら除湿側の空気または加湿側の空気を室内へ供給する調湿装置に関するものである。
【背景技術】
【０００２】
従来より、室外空気や室内空気の湿度調節を行い、調湿後の空気を室内へ供給する調湿装置が知られている。この種の調湿装置として、特許文献１には、吸着剤が担持された吸着熱交換器を備えた調湿装置が開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の２つの熱交換器室にそれぞれ設置されている。
【０００４】
冷媒回路では、第１吸着熱交換器が凝縮器となって第２吸着熱交換器が蒸発器となる動作と、第２吸着熱交換器が凝縮器となって第１吸着熱交換器が蒸発器となる動作とが交互に切り換えられる。蒸発器として動作する吸着熱交換器では、吸着剤に空気中の水分が吸着される。凝縮器として動作する吸着熱交換器では、水分が吸着剤から脱離して空気に付与される。
【０００５】
また、特許文献１の調湿装置は、除湿側と加湿側に交互に切り換えられる２つの空気通路を有し、各吸着熱交換器を通過した空気の一方を室内へ供給して他方を室外へ排出するように構成されている。例えば、除湿運転中の調湿装置では、第１及び第２の吸着熱交換器のうち蒸発器（除湿側）として動作する方を通過した空気が室内へ供給されて、凝縮器として動作する方を通過した空気が室外へ排出されるように、ケーシング内での空気の流通経路が設定される。また、加湿運転中の調湿装置では、第１及び第２の吸着熱交換器のうち凝縮器（加湿側）として動作する方を通過した空気が室内へ供給されて、蒸発器として動作する方を通過した空気が室外へ排出されるように、ケーシング内での空気の流通経路が設定される。
【０００６】
この調湿装置では、このような空気の流通経路を複数のダンパの開閉動作によって切り換えるようにしている。具体的に、この調湿装置では、８つのダンパを開閉制御することで各吸着熱交換器を流通する空気の流通経路を変更し、除湿運転や加湿運転等を切り換えている。そして、第１吸着熱交換器と第２吸着熱交換器を蒸発器と凝縮器に交互に切り換えるのに合わせてダンパを開閉制御して空気の流通経路も切り換え、除湿運転時には常に蒸発器を通った空気を室内に供給し、加湿運転時には常に凝縮器を通った空気を室内に供給するようにしている。
【特許文献１】特開２００６−３４９３０４号公報
【発明の開示】
【発明が解決しようとする課題】
【０００７】
ところで、上記の調湿装置では、２つの空気通路にそれぞれ送風機が設けられている。各空気通路において送風量を安定させるためには、送風機の駆動源にＤＣファンモータを用い、制御手段であるコントローラによって、フィードバック制御で送風量が一定になるように回転数を一定に保つとよい。
【０００８】
一方、除湿側の空気通路と加湿側の空気通路を切り換えるときは、一瞬だけすべてのダンパが開くため、空気通路の通風抵抗が小さくなる。そのため、モータの動きとしては回転数が下がることになり、コントローラはモータの回転数が下がると回転数を上げようとする。しかし、コントローラがモータの回転数を上げに行くときには空気通路の切り換えが完了してしまうので、通風抵抗が元に戻っているのに風量だけが上昇しすぎてしまい、今度は風量を少なくするために回転数を下げる動きが必要となる。特に、空気通路の切り換え時に風量が一旦少なくなるのはさほど問題にならないが、風量が上昇しすぎると騒音などの面からも問題となる。
【０００９】
このように、通常の運転時における空気通路の風量を安定させるためのフィードバック制御を空気通路の切り換え時にも行っていると、ファンの回転数にハンチングが起こり、風量が不安定になってしまうおそれがあった。
【００１０】
本発明は、かかる点に鑑みてなされたものであり、その目的は、除湿側と加湿側に交互に切り換えられる２つの空気通路のそれぞれに吸着部材を備え、空気通路の送風量をファンの回転数で制御する調湿装置において、除湿側の空気通路と加湿側の空気通路を切り換えるときに風量が安定しなくなるのを防止することである。
【課題を解決するための手段】
【００１１】
第１の発明は、吸着剤が担持された第１吸着部材（51）と、吸着剤が担持された第２吸着部材（52）と、該第１吸着部材（51）が配置される第１空気通路（61）と第２吸着部材（52）が配置される第２空気通路（62）とを備えたケーシング（11）と、該ケーシング（11）内に設けられて各吸着部材（51，52）を加熱または冷却する温度調節機構（50）と、第１吸着部材（51）を加熱して第２吸着部材（52）を冷却する第１動作と第１吸着部材（51）を冷却して第２吸着部材（52）を加熱する第２動作を切り換える温度調節切換手段（54）と、上記第１空気通路（61）と第２空気通路（62）を交互に室内への空気供給経路に切り換える空気流通経路切換手段（41〜48）と、各空気通路（61，62）に設けられた回転制御可能な送風機（25，26）と、を備えた調湿装置を前提としている。
【００１２】
そして、この調湿装置は、上記温度調節機構（50）と温度調節切換手段（54）と空気流通経路切換手段（41〜48）と送風機（25，26）とを制御する制御手段（65）を備え、上記制御手段（65）が、上記吸着部材（51，52）で調湿した空気を室内へ供給する通常調湿運転時に上記空気通路（61，62）の送風量に基づいて上記送風機（25，26）の回転数を制御するフィードバック制御を行う一方、上記第１空気通路（61）と第２空気通路（62）を室内への空気供給経路に切り換える時には上記フィードバック制御を停止する風量制御部（66）を備えていることを特徴としている。
【００１３】
また、第２の発明は、第１の発明において、上記空気流通経路切換手段（41〜48）が、上記空気通路（61，62）に設けられた開閉可能なダンパにより構成されていることを特徴としている。
【００１４】
この第１の発明では、第１吸着部材（51）を加熱して第２吸着部材（52）を冷却する第１動作と第１吸着部材（51）を冷却して第２吸着部材（52）を加熱する第２動作を温度調節切換手段（54）で切り換える際に、空気流通経路切換手段（41〜48）によって冷却側を室内への空気供給経路にすると除湿運転を行うことができ、加熱側を室内への空気供給経路にすると加湿運転を行うことができる。そして、除湿運転時と加湿運転時のいずれも、通常の調湿運転時には上記空気通路（61，62）の送風量に基づいて上記送風機（25，26）の回転数を制御するフィードバック制御を行うことで安定した吹出風量で運転を行うことができる。一方、第１空気通路（61）と第２空気通路（62）を室内への空気供給経路に切り換える時には、例えば３秒から５秒程度上記フィードバック制御を停止する操作が行われる。なお、フィードバック制御を停止した後に通常の制御に戻すのは、例えば３秒から５秒程度のタイマで制御するとよい。
【００１５】
このように構成すると、空気通路（61，62）の切り換え時にすべてのダンパ（41〜48）が開くことなどによって一瞬だけ両方の空気通路（61，62）が連通して通風抵抗が小さくなった場合に、モータの動きとして回転数が下がるのは従来と同様であるが、この切り換え時にはフィードバック制御をしないため、モータの回転数を上げに行く操作が行われない。そのため、このときに既に空気通路（61，62）の切り換えが完了していて風量が多くなりすぎるといった不具合が生じるおそれはない。
【００１６】
第３の発明は、第１または第２の発明において、表面に吸着剤が担持された第１吸着熱交換器（51）及び第２吸着熱交換器（52）を有する冷媒回路（50）を有し、該冷媒回路（50）は冷媒の循環方向を可逆に切り換えることが可能な切換機構（54）を備え、上記第１吸着部材（51）が第１吸着熱交換器（51）により構成されるとともに上記第２吸着部材（52）が第２吸着熱交換器（52）により構成され、上記温度調節機構（50）が上記冷媒回路（50）により構成され、上記温度調節切換手段（54）が上記冷媒回路（50）の切換機構（54）により構成されていることを特徴としている。
【００１７】
この第３の発明では、冷媒回路（50）における冷媒の循環方向を切り換えることにより第１吸着熱交換器（51）と第２吸着熱交換器（52）を凝縮器（加熱側）と蒸発器（冷却側）に切り換えるようにしており、この切り換え時にファン（25，26）のフィードバック制御が停止することで動作が安定する。
【発明の効果】
【００１８】
第１，第２の発明によれば、除湿運転時と加湿運転時のいずれも、通常の調湿運転時には上記空気通路（61，62）の送風量に基づいて上記送風機（25，26）の回転数を制御するフィードバック制御を行うことで安定した吹出風量で運転を行うことができ、第１空気通路（61）と第２空気通路（62）を室内への空気供給経路に切り換える時には、例えば３秒から５秒程度上記フィードバック制御を停止する操作が行われる。
【００１９】
したがって、すべてのダンパが開くことなどによって一瞬だけ両方の空気通路（61，62）が連通して通風抵抗が小さくなった場合に、モータの動きとして回転数が下がるのは従来と同様であるが、この切り換え時にはフィードバック制御をしないため、モータの回転数を上げに行く操作が行われない。そのため、このときに既に空気通路（61，62）の切り換えが完了していて風量が多くなりすぎるといった不具合が生じるおそれはないので、ハンチングの問題を防止でき、騒音が大きくなることもない。
【００２０】
上記第３の発明によれば、冷媒の循環方向を切換機構（54）によって可逆に切り換えることが可能な冷媒回路（50）に設けた吸着熱交換器（51，52）を吸着部材（51，52）として用いるとともに、この冷媒回路（50）を温度調節機構（50）にし、冷媒回路（50）における冷媒の循環方向を切り換える切換機構（54）を温度調節切換機構（54）として用いているので、吸着部材（51，52）である吸着熱交換器（51，52）を冷却側と加熱側に切り換える操作を簡単に行うことができ、装置構成や制御が複雑化するのを抑えた調湿装置を実現でき、しかも空気通路（61，62）の切り換え時にも安定した制御を行うことが可能となる。
【発明を実施するための最良の形態】
【００２１】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２２】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２３】
調湿装置（10）は、ケーシング（11）を備えている。また、ケーシング（11）内には、冷媒回路（50）が収容されている。この冷媒回路（50）には、第１吸着部材である第１吸着熱交換器（51）、第２吸着部材である第２吸着熱交換器（52）、圧縮機（53）、温度調節切換手段としての切換機構である四方切換弁（54）、及び電動膨張弁（55）が接続されている。冷媒回路（50）の詳細は後述する。
【００２４】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２５】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２６】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２７】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２８】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２９】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３０】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３１】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３２】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３３】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３４】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３５】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３６】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３７】
上記構成において、内気側通路（32）と外気側通路（34）と給気側通路（31）と排気側通路（33）とにより、室外から室内へ向かう空気通路と室内から室外へ向かう空気通路とが構成され、この２つの空気通路により第１空気通路（61）と第２空気通路（62）が構成されている。そして、第１空気通路（61）側と第２空気通路（62）側にそれぞれ４つのダンパが含まれることになり、第１空気通路（61）と第２空気通路（62）における空気の流通経路が、上記ダンパ（41〜48）により切り換えられるように構成されている。
【００３８】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００３９】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４０】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４１】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４２】
なお、図２の右側面図及び左側面図では、第１バイパス通路（81）、第２バイパス通路（82）、第１バイパス用ダンパ（83）、及び第２バイパス用ダンパ（84）の図示を省略している。
【００４３】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４４】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４５】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４６】
冷媒回路（50）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４７】
また、冷媒回路（50）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４８】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００４９】
以上説明した本実施形態の調湿装置（10）の構成を要約すると、ケーシング（11）内には、吸着剤が担持された第１吸着部材としての第１吸着熱交換器（51）が配置される第１空気通路（61）と、吸着剤が担持された第２吸着部材としての第２吸着熱交換器（52）が配置される第２空気通路（62）とが形成されている。また、このケーシング（11）内には、各吸着熱交換器（51，52）を加熱または冷却する温度調節機構として上記冷媒回路（50）が設けられている。
【００５０】
また、ケーシング（11）内には、第１吸着熱交換器（51）を加熱して第２吸着熱交換器（52）を冷却する第１動作と第１吸着熱交換器（51）を冷却して第２吸着熱交換器（52）を加熱する第２動作を切り換える温度調節切換手段（54）と、上記第１空気通路（61）と第２空気通路（62）を交互に室内への空気供給経路に切り換える空気流通経路切換手段としてのダンパ（41〜48）が設けられている。
【００５１】
上記冷媒回路（50）には、冷媒の循環方向を可逆に切り換えることが可能な切換機構として四方切換弁（54）が設けられている。この四方切換弁（54）により、上記温度調節切換手段（54）が構成されている。
【００５２】
そして、この調湿装置（10）は、加熱側の吸着熱交換器（51，52）を通った空気を室内に供給して冷却側の吸着熱交換器（52，51）を通った空気を室外に排出する後述の加湿換気運転と、冷却側の吸着熱交換器（52，51）を通った空気を室内に供給して加熱側の吸着熱交換器（51，52）を通った空気を室外に排出する後述の除湿換気運転とを切り換えて制御するコントローラ（制御手段）（65）を備えている。
【００５３】
このコントローラ（65）は、具体的には、上記四方切換弁（54）を含む上記冷媒回路（50）と、上記ダンパ（41〜48）と、排気ファン（25）及び給気ファン（26）のファンモータとを制御する。そして、このコントローラ（65）は、上記吸着熱交換器（51，52）で調湿した空気を室内へ供給する通常の調湿運転時（つまり、除湿換気運転時及び加湿換気運転時）に上記空気通路（61，62）の送風量に基づいて上記ファン（25，26）の回転数を制御するフィードバック制御を行う一方、上記第１空気通路（61）と第２空気通路（62）を室内への空気供給経路に切り換える時には上記フィードバック制御を停止する風量制御部（66）を備えている。フィードバック制御を行うため、コントローラ（65）はファンモータの回転数を検出できるようになっている。ファンモータはＤＣモータにより構成されている。
【００５４】
−運転動作−
本実施形態の調湿装置（10）は、除湿換気運転（除湿運転）と、加湿換気運転（加湿運転）と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００５５】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００５６】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５７】
先ず、除湿換気運転の第１動作について説明する。図４に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００５８】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００５９】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６０】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６１】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６２】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６３】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００６４】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６５】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６６】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６７】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６８】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６９】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７０】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７１】
〈単純換気運転〉
単純換気運転中における調湿装置（10）の動作について、図８を参照しながら説明する。
【００７２】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７３】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７４】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７５】
〈フィードバック停止制御〉
この調湿装置（10）では、上記コントローラ（65）により、第１吸着熱交換器（51）を加熱して第２吸着熱交換器（52）を冷却する第１動作と第１吸着熱交換器（51）を冷却して第２吸着熱交換器（52）を加熱する第２動作を冷媒回路（50）の四方切換弁（54）で切り換える際に、ダンパ（41〜48）によって冷却側の空気通路（61，62）を室内への空気供給経路にすると除湿運転を行うことができ、加熱側の空気通路（62，61）を室内への空気供給経路にすると加湿運転を行うことができる。そして、除湿運転時と加湿運転時のいずれの場合も、通常の調湿運転中には上記空気通路（61，62）の送風量に基づいて上記ファン（25，26）の回転数を制御するフィードバック制御を行うことで安定した吹出風量で運転を行うことができる。一方、第１空気通路（61）と第２空気通路（62）を室内への空気供給経路に切り換える時には、例えば５秒程度は上記フィードバック制御を停止する操作が行われる。なお、フィードバック制御を停止した後に通常の制御に戻すのは、例えば５秒程度のタイマで制御するとよい。なお、この５秒は一例であり、装置構成に応じて適宜変更可能である。
【００７６】
フィードバック制御の内容を図９に示しており、フィードバック制御を停止するのは、図において左のブロックから右のブロックへ移行する動作であり、このとき、コントローラ（65）は、調湿装置（10）に設けられている各ダンパ（41〜48）の開閉状態に関する指示値と現在値とが一致していないことを条件として判断している。逆に、フィードバック停止制御を解除するのは、図９において右のブロックから左のブロックへ移行する動作であり、このとき、コントローラ（65）は、フィードバック停止制御の解除を、ファン（25，26）の回転数指示がゼロ（停止）であるか、各ダンパの指示値と現在値がすべて一致しているか、フィードパック停止タイマが５秒以上経過するかの、何れかの条件を満たすことで判断している。
【００７７】
このように構成すると、空気通路（61，62）の切り換え時にすべてのダンパ（41〜48）が開くことによって一瞬だけ両方の空気通路（61，62）が連通して通風抵抗が小さくなった場合に、モータの動きとして回転数が下がるのは従来と同様であるが、この切り換え時にはフィードバック制御をせずにフィードバック停止制御をするため、モータの回転数を必要以上に上げる操作が行われない。そのため、図１０に示すように、フィードバック停止制御を行わない場合は風量が一旦下がってから戻るときに上がりすぎて制御のハンチングが生じる（仮想線参照）が、本実施形態では実線で示しているように、ファン（25，26）の回転数を戻すときに風量が多くなりすぎるといった不具合が生じるおそれはない。
【００７８】
−実施形態の効果−
このように、本実施形態によれば、除湿運転時と加湿運転時のいずれも、通常の調湿運転時には上記空気通路（61，62）の送風量に基づいて上記送風機（25，26）の回転数を制御するフィードバック制御を行うことで安定した吹出風量で運転を行うことができ、第１空気通路（61）と第２空気通路（62）を室内への空気供給経路に切り換える時には、５秒程度は上記フィードバック制御を停止する操作が行われる。
【００７９】
したがって、すべてのダンパ（41〜48）が開くことによって一瞬だけ両方の空気通路（61，62）が連通して通風抵抗が小さくなった場合に、モータの動きとして回転数が下がるのは従来と同様であっても、この切り換え時にはフィードバック制御をしないため、モータの回転数を必要以上に上げる操作が行われない。そのため、このときに既に空気通路（61，62）の切り換えが完了していて風量が多くなりすぎるといった不具合が生じるおそれがないので、制御のハンチングの問題を防止でき、騒音が大きくなることもない。
【００８０】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【００８１】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【００８２】
−実施形態の変形例３−
本発明は、例えばハニカム状の基材の表面に吸着剤を担持した構造の２つの吸着素子（吸着部材）を除湿側と加湿側に切り換えながら加湿空気と除湿空気の流通経路も切り換えて、除湿運転または加湿運転を行うタイプの調湿装置で加湿運転を行う調湿装置に適用することも可能である。また、２つの吸着素子をロータタイプの一体型にして、この吸着素子を、室外から室内へ空気を供給する第１通路と室内から室外へ空気を排出する第２通路とに跨って配置し、ロータを連続的または間欠的に回転させながら一方の通路を除湿側にし、他方の通路を加湿側にする調湿装置に適用することも可能である。
【００８３】
−実施形態の変形例４−
なお、以上の実施形態は、本質的に好ましい例示であって、本発明、その適用物、あるいはその用途の範囲を制限することを意図するものではない。
【産業上の利用可能性】
【００８４】
以上説明したように、本発明は、室内の湿度調節を行うための調湿装置について有用である。
【図面の簡単な説明】
【００８５】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】除湿換気運転の第１動作における空気の流れを示す調湿装置の概略の平面図、右側面図、及び左側面図である。
【図５】除湿換気運転の第２動作における空気の流れを示す調湿装置の概略の平面図、右側面図、及び左側面図である。
【図６】加湿換気運転の第１動作における空気の流れを示す調湿装置の概略の平面図、右側面図、及び左側面図である。
【図７】加湿換気運転の第２動作における空気の流れを示す調湿装置の概略の平面図、右側面図、及び左側面図である。
【図８】単純換気運転における空気の流れを示す調湿装置の概略の平面図、右側面図、及び左側面図である。
【図９】フィードバック制御とフィードバック停止制御の切り換え条件を示す制御図である。
【図１０】フィードバック停止制御中のファンの動作を示すグラフである。
【符号の説明】
【００８６】
10  調湿装置
11  ケーシング
25  排気ファン（送風機）
26  給気ファン（送風機）
41〜48  ダンパ（空気流通経路切換手段）
50  冷媒回路（温度調節機構）
51  第１吸着熱交換器（第１吸着部材）
52  第２吸着熱交換器（第２吸着部材）
54  四方切換弁（切換機構、温度調節切換手段）
61  第１空気通路
62  第２空気通路
65  コントローラ（制御手段）
66  風量制御部
【図１】
2009109117.tif 000003
【図２】
2009109117.tif 000004
【図３】
2009109117.tif 000005
【図４】
2009109117.tif 000006
【図５】
2009109117.tif 000007
【図６】
2009109117.tif 000008
【図７】
2009109117.tif 000009
【図８】
2009109117.tif 000010
【図９】
2009109117.tif 000011
【図１０】
2009109117.tif 000012